(57)【要約】【課題】簡易かつ安価な構成により制御ケーブルの振れを防止し得る制御ケーブル用振れ防止装置及びエレベータ装置を提案する。【解決手段】一端が乗りかごの下部に連結され、他端が昇降路内壁に設置された固定具に連結され、両端から垂下される制御ケーブルの振れを防止する制御ケーブル用振れ防止装置において、制御ケーブル上に設置され、乗りかごの昇降方向の移動に伴い同方向に移動するガイドプーリを備え、ガイドプーリは、乗りかごの昇降方向の移動に伴い制御ケーブルが移動すると、制御ケーブルの移動に伴い制御ケーブル上を回転するプーリと、プーリを正面及び裏面から挟み込むガイドプレートとを備える。【選択図】図１
2016124694.tif 000002
【特許請求の範囲】
【請求項１】
一端が乗りかごの下部に連結され、他端が昇降路内壁に設置された固定具に連結されて、両端から垂下する制御ケーブルの振れを防止する制御ケーブル用振れ防止装置において、
前記制御ケーブル上に設置され、前記乗りかごの昇降方向の移動に伴い同方向に移動するガイドプーリを備え、
前記ガイドプーリは、
前記乗りかごの昇降方向の移動に伴い前記制御ケーブルが移動すると、前記制御ケーブルの移動に伴い前記制御ケーブル上を回転するプーリと、
前記プーリを正面及び裏面から挟み込むガイドプレートと
を備えることを特徴とする制御ケーブル用振れ防止装置。
【請求項２】
前記制御ケーブルは、前記昇降路内壁に沿って垂下しており、
前記制御ケーブルの垂下線上に複数の保持機を備え、
前記保持機は、
前記ガイドプーリの通過時に前記制御ケーブルを保持又は開放する
ことを特徴とする請求項１に記載の制御ケーブル用振れ防止装置。
【請求項３】
前記保持機は、
３辺からなるコの字形状のケースと、
前記ケースに設置される開閉バーとを備え、
前記ケースは、
前記３辺のうちの１辺が前記昇降路内壁に固定され、他の２辺は前記１辺に対し垂直に突出し、前記２辺の間に開口部を形成し、
前記開閉バーは、
無負荷状態においては前記開口部を閉鎖し、
前記昇降方向に負荷のかかった状態においては前記開口部を開放する
ことを特徴とする請求項２に記載の制御ケーブル用振れ防止装置。
【請求項４】
前記開閉バーは、
前記無負荷状態においては水平状態を維持することにより、前記開口部を閉鎖し、
前記昇降方向に負荷のかかった状態においては前記２辺のうちの何れか１辺に設置された回転軸を中心に回転することにより、前記開口部を開放する
ことを特徴とする請求項３に記載の制御ケーブル用振れ防止装置。
【請求項５】
前記ガイドプーリは、
前記乗りかごが上昇方向に移動する場合、同方向に移動し、
前記保持機を通過する際、前記ガイドプレートにより前記開閉バーを押し上げて前記開口部を開放し、前記保持機に保持されている前記制御ケーブルを前記開口部から回収し、
前記乗りかごが下降方向に移動する場合、同方向に移動し、
前記保持機を通過する際、前記ガイドプレートにより前記開閉バーを押し下げて前記開口部を開放し、前記保持機に前記制御ケーブルを保持させる
ことを特徴とする請求項４に記載の制御ケーブル用振れ防止装置。
【請求項６】
前記ガイドプーリは、
前記プーリが前記制御ケーブル上から外れないように保持する外れ止めローラを備える
ことを特徴とする請求項５に記載の制御ケーブル用振れ防止装置。
【請求項７】
前記開口部は、
前記ガイドプレート間の距離よりも大きい
ことを特徴とする請求項６に記載の制御ケーブル用振れ防止装置。
【請求項８】
一端が乗りかごの下部に連結され、他端が昇降路内壁に設置された固定具に連結されて、両端から垂下する制御ケーブルの振れを防止する制御ケーブル用振れ防止装置を備えたエレベータ装置において、
前記制御ケーブル上に設置され、前記乗りかごの昇降方向の移動に伴い同方向に移動するガイドプーリを備え、
前記ガイドプーリは、
前記乗りかごの昇降方向の移動に伴い前記制御ケーブルが移動すると、前記制御ケーブルの移動に伴い前記制御ケーブル上を回転するプーリと、
前記プーリを正面及び裏面から挟み込むガイドプレートと
を備えることを特徴とするエレベータ装置。
【発明の詳細な説明】
【技術分野】
【０００１】
本発明は、制御ケーブル用振れ防止装置及びエレベータ装置に関し、特に一端が乗りかごの下部に連結され、他端が昇降路内壁の固定具に連結されて、両端部から垂下する制御ケーブルの振れを防止する制御ケーブル用振れ防止装置及びエレベータ装置に適用して好適なものである。
【背景技術】
【０００２】
従来、エレベータ装置は、乗りかごと制御盤との間に動作制御及び電力供給のための制御ケーブル（テールコードとも呼ばれる）を備える。制御ケーブルは、一端が乗りかごの下部に連結され、他端は昇降路内壁の固定具に連結される。そして乗りかごが昇降方向に移動すると、乗りかごの移動に伴って移動する。
【０００３】
制御ケーブルは、通常は自重により昇降路内に垂れ下がり静止しているが、乗りかごが昇降方向に移動し、或いは、強風又は地震等により建物が揺れると、昇降路内で大きく振れ回る場合がある。この場合、制御ケーブルが昇降路内の各種機器又は各種機器と昇降路壁との隙間に入り込んで引っ掛かり、機器を損傷させるおそれがある。
【０００４】
そのため現在のエレベータ装置においては、各種機器と昇降路壁との間に保護ワイヤー等を設置し、制御ケーブルの引っ掛かりを防止するようにしている。
【０００５】
特許文献１には、昇降路内壁に沿って垂下された制御ケーブルの被覆内に磁石を埋設し、埋設した磁石と対向する位置の昇降路内壁に磁性体を埋設することにより、磁石と磁性体とが磁力により引き合い、制御ケーブルを昇降路において拘束するようにした制御ケーブル制振装置が開示されている。
【先行技術文献】
【特許文献】
【０００６】
【特許文献１】特許第５２７７７２３号公報
【発明の概要】
【発明が解決しようとする課題】
【０００７】
しかし特許文献１に記載の技術では、制御ケーブルの被覆内に磁石を埋設する必要があるため、制御ケーブルにかかる費用及び重量が増加するという課題がある。
【０００８】
また特許文献１に記載の技術では、昇降路内壁に埋設する磁性体は磁性の切り替えが可能な電磁石であり、乗りかごの昇降方向の移動に合わせて磁性を切り替え、昇降路に対する制御ケーブルの吸着及び離間を行うようにしている。よって乗りかごの動作制御の他にも電磁石の動作制御が別に必要となり、制御系が複雑化するという課題がある。
【０００９】
本発明は以上の点を考慮してなされたもので、簡易かつ安価な構成により制御ケーブルの振れを防止し得る制御ケーブル用振れ防止装置及びエレベータ装置を提案する。
【課題を解決するための手段】
【００１０】
かかる課題を解決するために、本発明においては、一端が乗りかごの下部に連結され、他端が昇降路内壁の固定具に連結され、両端から垂下される制御ケーブルの振れを防止する制御ケーブル用振れ防止装置において、制御ケーブル上に設置され、乗りかごの昇降方向の移動に伴い同方向に移動するガイドプーリを備え、ガイドプーリは、乗りかごの昇降方向の移動に伴い制御ケーブルが移動すると、制御ケーブルの移動に伴い制御ケーブル上を回転するプーリと、プーリを正面及び裏面から挟み込むガイドプレートとを備える構成とした。
【００１１】
またかかる課題を解決するために、本発明においては、一端が乗りかごの下部に連結され、他端が昇降路内壁の固定具に連結され、両端から垂下される制御ケーブルの振れを防止する制御ケーブル用振れ防止装置を備えるエレベータ装置において、制御ケーブル上に設置され、乗りかごの昇降方向の移動に伴い同方向に移動するガイドプーリを備え、ガイドプーリは、乗りかごの昇降方向の移動に伴い制御ケーブルが移動すると、制御ケーブルの移動に伴い制御ケーブル上を回転するプーリと、プーリを正面及び裏面から挟み込むガイドプレートとを備える構成とした。
【発明の効果】
【００１２】
本発明によれば、簡易かつ安価な構成により制御ケーブルの振れを防止することができる。
【図面の簡単な説明】
【００１３】
【図１】エレベータ装置の全体構成図である。
【図２】ガイドプーリの正面構成図である。
【図３】ガイドプーリの側面構成図である。
【図４】開口部閉鎖時の保持機の正面構成図である。
【図５】開口部開放時の保持機の正面構成図である。
【図６】保持機の上面構成図である。
【発明を実施するための形態】
【００１４】
以下図面について、本発明の一実施の形態を詳述する。
【００１５】
（１）エレベータ装置の全体構成
図１は、本実施の形態におけるエレベータ装置１の全体構成を示す。エレベータ装置１は、乗客を収容する乗りかご２と、乗りかご２を昇降するメインロープ３と、一端が乗りかご２の下部に連結され、他端が固定具４に連結される制御ケーブル６を備える。固定具４は、昇降路５の内壁に固定設置され、制御ケーブル６を懸垂する。
【００１６】
ここで本実施の形態におけるエレベータ装置１においては、制御ケーブル６の一端と他端との間の制御ケーブル６上に設置され、一端と他端との間を移動するガイドプーリ７と、昇降路５の内壁に沿って垂下される制御ケーブル６の垂下線上に配置され、昇降路５の内壁に固定設置される複数の保持機８とを備える。なおガイドプーリ７及び複数の保持機８からなる装置をここでは制御ケーブル用振れ防止装置と呼ぶ。
【００１７】
ガイドプーリ７は、乗りかご２の昇降方向の移動に伴い制御ケーブル６が移動すると、この制御ケーブル６の移動に伴い乗りかご２の移動方向と同方向に移動する。例えば乗りかご２が上昇方向に移動すると、ガイドプーリ７も上昇方向（矢印Ａの方向）に移動する。
【００１８】
ガイドプーリ７は、上昇方向に移動する場合には保持機８に保持されている制御ケーブル６を回収しつつ移動し、また下降方向に移動する場合には保持機８に制御ケーブル６を保持させつつ移動する。詳細については図２〜図６を参照して後述する。
【００１９】
（２）ガイドプーリの構成
図２及び図３を参照して、ガイドプーリ７の構成について説明する。図２は、図１と同方向から見たときのガイドプーリ７の拡大正面構成を示し、図３は、図１の矢印Ｘの方向から見たときのガイドプーリ７の側面構成を示す。
【００２０】
ガイドプーリ７は、円柱形状のプーリ７１と、プーリ７１の回転軸となるシャフト７２と、プーリ７１を正面及び裏面（円形状側の両面）から挟み込む２枚のガイドプレート７３と、外れ止めローラ７４と、外れ止めローラ用シャフト７５とを備える。
【００２１】
プーリ７１は、制御ケーブル６との摩擦力によりシャフト７２を回転軸として回転し、制御ケーブル６上を移動する。ガイドプレート７３は、シャフト７２及び外れ止めローラ用シャフト７５の軸受部を有する。
【００２２】
外れ止めローラ７４は、円筒形状を有し、プーリ７１を正面から見て左右の位置に設置される。外れ止めローラ用シャフト７５は、外れ止めローラ７４の内部に通され、ガイドプレート７３の軸受部に回転可能に固定される。
【００２３】
乗りかご２が昇降方向に移動するとともに制御ケーブル６が移動すると、制御ケーブル６との摩擦力によりプーリ７１及び外れ止めローラ７４が回転する。そしてガイドプーリ７は、制御ケーブル６の移動に伴い乗りかご２の移動方向と同方向に移動する。制御ケーブル６はプーリ７１と外れ止めローラ７４との間を通っているため、プーリ７１から外れることはない。
【００２４】
制御ケーブル６上にガイドプーリ７を設置することで、制御ケーブル６には自重以外にガイドプーリ７による下方向の荷重がかかる。よって乗りかご２の下部及び固定具４から垂下されている制御ケーブル６の振動を抑制することができる。
【００２５】
（３）保持機の構成
図４〜図６を参照して、保持機８の構成について説明する。図４及び図５は、図１の矢印Ｘの方向から見たときの保持機８の正面構成を示す。図４は開口部閉鎖時における保持機８の正面構成であり、図５は開口部開放時における保持機８の正面構成である。また図６は、図１の矢印Ｙの方向から見たときの保持機８の上面構成を示す。
【００２６】
図４〜図６に示されるように保持機８は、ケース８１、回転軸８２及び開閉バー８３を備える。ケース８１は、上面からみると３辺からなるコの字形状であり、１辺が昇降路５の内壁に固定され、他の２辺が突出して開口部８４を形成している。開口部８４の幅は、ガイドプーリ７が保持機８の内部を通過しながら昇降方向に移動することを可能とするため、２枚のガイドプレート７３間の距離よりも十分大きく形成される。
【００２７】
回転軸８２は、例えばねじりバネ等により形成され、開閉バー８３を回転可能に保持する。回転軸８２は、開閉バー８３に対する負荷が無負荷状態である場合には開閉バー８３を水平状態に維持し、開閉バー８３に対する負荷が矢印Ａの方向又は逆方向、すなわち昇降方向にかかる場合、開閉バー８３を回転させつつ保持する。
【００２８】
開閉バー８３は、回転軸８２により回転可能に保持され、無負荷状態の場合には水平状態を保持し、開口部８４を閉鎖する。また昇降方向に負荷がかかると回転軸８２を中心に回転し、開口部８４を開放する。負荷状態から再び無負荷状態になった際は、回転軸８２のバネ力により初期位置の水平状態に戻る。
【００２９】
ここで乗りかご２が上昇方向に移動すると、ガイドプーリ７も上昇方向に移動する。ガイドプーリ７が上昇方向に移動すると、ガイドプレート７３の上端が保持機８の開閉バー８３に接触し、開閉バー８３を押し上げて開口部８４を開放する。
【００３０】
開口部８４が開放された状態でガイドプーリ７が更に上昇方向に移動すると、制御ケーブル６はプーリ７１に巻き掛けられて、保持機８の外部に移動する。そしてガイドプーリ７が更に上昇して開閉バー８３を通過すると、開閉バー８３は無負荷状態となり、初期位置である水平状態に戻る。
【００３１】
次に乗りかご２が下降方向に移動すると、ガイドプーリ７も下降方向に移動する。ガイドプーリ７が下降方向に移動すると、ガイドプレート７３の下端が保持機８の開閉バー８３に接触し、開閉バー８３を押し下げて開口部８４を開放する。
【００３２】
開口部８４が開放された状態でガイドプーリ７が更に下降方向に移動すると、制御ケーブル６はプーリ７１から離れ、保持機８の内部に収容されて保持される。そしてガイドプーリ７が更に下降して開閉バー８３を通過すると、開閉バー８３は無負荷状態となり、初期位置である水平状態に戻る。
【００３３】
（４）本実施の形態による効果
以上のように本実施の形態における制御ケーブル用振れ防止装置及びこの制御ケーブル用振れ防止装置を備えたエレベータ装置１によれば、制御ケーブル６上にガイドプーリ７を設置し、ガイドプーリ７の移動線上に複数の保持機８を設置し、乗りかご２が上昇方向に移動するとガイドプーリ７も上昇方向に移動して保持機８の開閉バー８３を押し上げ、保持機８に保持されている制御ケーブル６を回収し、乗りかご２が下降方向に移動するとガイドプーリ７も下降方向に移動して保持機８の開閉バー８３を押し下げ、保持機８に制御ケーブル６を保持させるようにした。
【００３４】
上記の構成を採用することにより、乗りかご２が昇降方向に移動する場合又は強風若しくは地震等により建物の揺れが発生した場合であっても、乗りかご２の下部及び固定具４から垂下する制御ケーブル６の振れ回りを防止することができる。
【００３５】
（５）他の実施の形態
上記実施の形態においては、開閉バー８３は回転軸８２を中心に回転する片開きの構成としたが必ずしもこれに限らず、開口部８４を形成する２辺のそれぞれに回転軸を２つ備え、それぞれの回転軸を中心に２本の開閉バーが開閉する両開きの構成であってもよい。この場合、ガイドプレート７３との接触時の衝撃を分散させることができる。
【符号の説明】
【００３６】
１      エレベータ装置
２      乗りかご
３      メインロープ
４      固定具
５      昇降路
６      制御ケーブル
７      ガイドプーリ
７１    プーリ
７２    シャフト
７３    ガイドプレート
７４    外れ止めローラ
８      保持機
８１    ケース
８２    回転軸
８３    開閉バー
８４    開口部
【図１】
2016124694.tif 000003
【図２】
2016124694.tif 000004
【図３】
2016124694.tif 000005
【図４】
2016124694.tif 000006
【図５】
2016124694.tif 000007
【図６】
2016124694.tif 000008